(57)【要約】【課題】本発明は、番組のジャンルや番組を提供するスポンサーに応じて映像や音声を調整することができるようにする。【解決手段】本発明は、デジタルテレビ放送受信部２によって選局されたチャンネルの番組に関するＥＰＧデータがＥＰＧ抽出部８によって抽出され、ＥＰＧデータ記憶部９に記憶される。制御部１２は、ＥＰＧデータ記憶部９に記憶されているＥＰＧデータから番組のジャンル名または番組を提供するスポンサーのスポンサー名を取得し、テーブル記憶部９に記憶されているジャンル別調整内容テーブルおよびスポンサー別調整内容テーブルからジャンル名またはスポンサー名に対応する画調整内容および音調整内容を取得し、これらの画調整内容および音声調整内容に基づいて、映像調整部６に映像の調整を指示するとともに音声調整部７に音声の調整を指示する。【選択図】図１
2009100136.tif 000002
【特許請求の範囲】
【請求項１】
番組を構成する映像および音声の少なくともいずれか一方を出力する映像音声出力装置であって、
上記番組が属するジャンルまたは上記番組を提供するスポンサーのスポンサー名を取得する取得手段と、
上記取得手段によって取得された上記ジャンルまたはスポンサー名に基づいて、上記映像および音声の少なくともいずれか一方を上記ジャンルまたはスポンサー名と対応した調整値に調整する調整手段と
を具えることを特徴とする映像音声出力装置。
【請求項２】
上記ジャンルまたはスポンサー名と上記調整値とが対応付けられたテーブルを記憶する記憶手段をさらに具え、
上記調整手段は、上記記憶手段によって記憶されている上記テーブルに基づいて上記映像および音声の少なくともいずれか一方を調整する
ことを特徴とする請求項１に記載の映像音声出力装置。
【請求項３】
上記スポンサーは、上記映像音声出力装置の製造メーカである
ことを特徴とする請求項１に記載の映像音声出力装置。
【請求項４】
番組を構成する映像および音声の少なくともいずれか一方を出力する映像音声出力方法であって、
取得手段により、上記番組が属するジャンルまたは上記番組を提供するスポンサーのスポンサー名を取得する取得ステップと、
調整手段により、上記取得ステップにおいて取得された上記ジャンルまたはスポンサー名に基づいて、上記映像および音声の少なくともいずれか一方を上記ジャンルまたはスポンサー名と対応した調整値に調整する調整ステップと
を具えることを特徴とする映像音声出力方法。
【請求項５】
番組を構成する映像および音声の少なくともいずれか一方を出力する映像音声出力プログラムであって、
上記番組が属するジャンルまたは上記番組を提供するスポンサーのスポンサー名を取得する取得ステップと、
上記取得ステップにおいて取得された上記ジャンルまたはスポンサー名に基づいて、上記映像および音声の少なくともいずれか一方を上記ジャンルまたはスポンサー名と対応した調整値に調整する調整ステップと
をコンピュータに実行させることを特徴とする映像音声出力プログラム。
【発明の詳細な説明】
【技術分野】
【０００１】
本発明は、映像音声出力装置および映像音声出力方法、並びに映像音声出力プログラムに関し、例えば番組を構成する映像や音声をその番組が属するジャンルやその番組を提供するスポンサーに応じて調整する映像音声出力装置および映像音声出力方法、並びに映像音声出力プログラムに適用して好適なものである。
【背景技術】
【０００２】
従来、デジタルテレビ放送受信機において、視聴チャンネルが変更されると、変更後のチャンネルの番組に対応するジャンルが、番組案内情報または番組案内情報に基づいて作成された所定のテーブルを検索することによって取得され、ジャンル別調整テーブルに、検索されたジャンルが、調整対象ジャンルとして存在するか否かが判別され、ジャンル別調整テーブルに、検索されたジャンルが、調整対象ジャンルとして存在する場合、検索されたジャンルに対応する輝度および音量の調整量に基づいて、輝度および音量が調整されるようになされたものがある（例えば、特許文献１参照）。
【特許文献１】特開平１０−３２２６２２号公報
【発明の開示】
【発明が解決しようとする課題】
【０００３】
ところでかかる構成のデジタルテレビ放送受信機においては、番組を出力する際に出力映像特性や出力音声特性を予めユーザが番組のジャンル別に設定した調整値に調整することができるが、番組を提供するスポンサーに応じて映像や音声の出力特性を調整する点については考慮されていないという問題があった。
【０００４】
本発明は以上の点を考慮してなされたもので、番組のジャンルや番組を提供するスポンサーに応じて映像や音声の出力特性を調整することができる映像音声出力装置および映像音声出力方法、並びに映像音声出力プログラムを提案しようとするものである。
【課題を解決するための手段】
【０００５】
かかる課題を解決するため本発明においては、番組が属するジャンルまたは番組を提供するスポンサーのスポンサー名を取得し、取得されたジャンルまたはスポンサー名に基づいて、映像および音声の少なくともいずれか一方をジャンルまたはスポンサー名と対応した調整値に調整することにより、番組のジャンルまたはスポンサー名に応じて調整された映像や音声を出力することができる。例えば、番組を提供するスポンサーが装置の製造メーカ等である場合、特別に映像や音声を調整して出力することができる。
【発明の効果】
【０００６】
本発明によれば、番組のジャンルに応じてより適切な調整を行った映像や音声を出力することができる。また、番組を提供するスポンサーに応じて映像や音声の出力特性を調整することができるので、番組のジャンルまたはスポンサー名に応じて出力特性を調整するとともに、そのスポンサーに対する好感度を向上させることができる映像音声出力装置および映像音声出力方法、並びに映像音声出力プログラムを実現することができる。
【発明を実施するための最良の形態】
【０００７】
以下、図面について、本発明の一実施の形態を詳述する。
【０００８】
（１）テレビジョン受像機の全体構成
図１において、１００は、全体としてテレビジョン受像機を示している。アンテナ１はデジタルテレビ放送受信部２と接続され、デジタルテレビ放送の電波を受信し、受信信号をデジタルテレビ放送受信部２に供給するようになされている。
【０００９】
デジタルテレビ放送受信部２は、デマルチプレクサ３と接続され、制御部１２の制御下、所定のチャンネルを選局し、選局したチャンネルのデジタル放送信号（圧縮された映像データ、圧縮された音声データ、および圧縮されたＥＰＧ（Electronic Program Guide）データからなる）をデマルチプレクサ３に供給するようになされている。
【００１０】
デマルチプレクサ３は、映像デコード部４、音声デコード部５、およびＥＰＧデータ抽出部８とそれぞれ接続され、デジタルテレビ放送受信部２より供給されたデジタルテレビ放送信号を、圧縮された映像データ、圧縮された音声データ、および圧縮されたＥＰＧデータに分離し、圧縮された映像データを映像デコード部４に供給し、圧縮された音声データを音声デコード部５に供給し、圧縮されたＥＰＧデータをＥＰＧデータ抽出部８に供給するようになされている。
【００１１】
映像デコード部４は、映像調整部６と接続され、デマルチプレクサ３より供給された圧縮された映像データに対してデコード処理を行い、デコードされた映像データを映像調整部６に供給するようになされている。
【００１２】
音声デコード部５は、音声調整部７と接続され、デマルチプレクサ３より供給された圧縮された音声データに対してデコード処理を行い、デコードされた音声データを音声調整部７に供給するようになされている。
【００１３】
ＥＰＧデータ抽出部８は、ＥＰＧデータ記憶部９と接続され、デマルチプレクサ３より供給された圧縮されたＥＰＧデータに対してデコード処理を行い、デコードされたＥＰＧデータをＥＰＧデータ記憶部９に供給するようになされている。
【００１４】
ＥＰＧデータ記憶部９は、電子番組表構成部１０と接続され、ＥＰＧデータ抽出部８より供給されたＥＰＧデータを記憶し、適宜、電子番組表構成部１０から読み出されるようになされている。
【００１５】
電子番組表構成部１０は、電子番組表画面生成部１１と接続され、ＥＰＧデータ記憶部９から読み出したＥＰＧデータに基づいて、電子番組表を構成し、電子番組表構成データを生成し、電子番組表画面生成部１１に供給するようになされている。
【００１６】
電子番組表画面生成部１１は、ＯＳＤ描画部１３と接続され、電子番組表構成部１０より供給された電子番組表構成データに基づいて、電子番組表の表示画面に対応する電子番組表表示データを生成し、ＯＳＤ描画部１３に供給するようになされている。
【００１７】
リモコン受信部１５は、制御部１２と接続され、リモートコントローラ（以下、適宜リモコンと記載する）２００から赤外線等により送信されてきた制御データを受信し、受信した制御データを制御部１２に供給するようになされている。
【００１８】
制御部１２は、リモコン受信部１５より供給された制御データに対応して、例えば、ユーザがリモコン２００を操作して指定したチャンネルをデジタルテレビ放送受信部２が選局するように制御したり、映像調整部７および音声調整部６やその他各部を制御したりするようになされている。
【００１９】
キーワード記憶部１８は、制御部１２と接続され、番組の属するジャンルのジャンル名や番組を提供するスポンサーのスポンサー名等のキーワードを記憶するようになされている。テーブル記憶部１９は、制御部１２と接続され、図３に示したジャンル別調整内容テーブルや図４に示したスポンサー別調整内容テーブルを記憶するようになされている。
【００２０】
ＯＳＤ（オンスクリーンディスプレイ）描画部１３は、映像／ＯＳＤ信号合成部１４と接続され、制御部１２の制御下、電子番組表画面生成部１１より供給された電子番組表表示データに基づいて、ＯＳＤ表示用のＯＳＤ表示データを生成し、映像／ＯＳＤ信号合成部１４に供給するようになされている。
【００２１】
映像調整部６は、映像／ＯＳＤ信号合成部１４と接続され、制御部１２の制御下、映像デコード部４より供給されたデコードされた映像データに対して、映像調整処理を行い、調整済の映像データを映像／ＯＳＤ信号合成部１４に供給するようになされている。
【００２２】
音声調整部７は、制御部１２の制御下、音声デコード部５より供給されたデコードされた音声データに対して、音声調整処理を行い、調整済の音声データを音声出力部１７に供給するようになされている。
【００２３】
映像／ＯＳＤ信号合成部１４は、映像調整部６、ＯＳＤ描画部１４、および映像表示部１６とそれぞれ接続され、映像調整部６より供給された映像データと、ＯＳＤ描画部１２より供給されたＯＳＤ用のＯＳＤ表示データとを合成し、合成映像信号を生成し、映像表示部１６に供給するようになされている。
【００２４】
音声出力部１７は、音声調整部７より供給された音声データに対応する音声を出力するようになされている。映像表示部１６は、映像／ＯＳＤ信号合成部１４より供給された合成映像信号に対応する合成映像を表示するようになされている。
【００２５】
ＥＰＧデータは、各テレビ放送局等が放送するテレビ番組の放送予定を示すデータであり、ＥＰＧデータには、チャンネル名、番組のタイトル（番組名）、出演者の氏名、放送日、放送時間帯（放送開始時刻および放送終了時刻）、番組のジャンルを示すジャンル名、番組内容（「あらすじ」）等からなる各番組に関する情報（以下では、番組情報と記載する）が含まれている。また、番組のタイトルには、その番組を提供するスポンサーのスポンサー名が含まれる場合がある。
【００２６】
図２は、ある番組が選局されたときの処理手順を示すフローチャートである。まず、ステップＳＰ１において、制御部１２は、ユーザによりリモコン２００が操作されるなどしてチャンネルが選択され、そのチャンネルで現在放送されている番組の出力が指示されたか否かが判定される。
【００２７】
その結果、チャンネルが選択されていないと判定された場合、ステップＳＰ１の処理が繰り返し実行される。一方、チャンネルが選択され、そのチャンネルで現在放送されている番組の出力が指示されたと判定された場合、ステップＳＰ２に進む。
【００２８】
ステップＳＰ２においては、制御部１２の制御下、デジタルテレビ放送受信部２は、ユーザによって選択されたチャンネルを選局し、そのチャンネルに対応する受信データをデマルチプレクサ３に供給する。
【００２９】
デマルチプレクサ３は、デジタルテレビ放送受信部２より供給された受信データから、映像データ、音声データ、およびＥＰＧデータを分離し、映像データを映像デコード部４に供給し、音声データを音声デコード部５に供給し、ＥＰＧデータをＥＰＧデータ抽出部８に供給する。
【００３０】
映像デコード部４は、デマルチプレクサ３から供給された映像データに対してデコード処理を施し、デコードされた映像データを映像調整部６に供給する。音声デコード部５は、デマルチプレクサ３から供給された音声データに対してデコード処理を施し、デコードされた音声データを音声調整部７に供給する。
【００３１】
ＥＰＧデータ抽出部８は、デマルチプレクサ３から供給されたＥＰＧデータに対してデコード処理を施し、デコードされたＥＰＧデータをＥＰＧデータ記憶部９に供給する。ＥＰＧデータ記憶部９は、ＥＰＧデータ抽出部８より供給されたデコードされたＥＰＧデータを記憶する。制御部１２は、ＥＰＧデータ記憶部９に供給され、記憶されたＥＰＧデータを適宜読み出す。
【００３２】
次に、ステップＳＰ３において、選択されたチャンネルで現在放送されている番組（選択された番組）に関するＥＰＧデータからその番組のジャンル名を取得し、そのジャンル名に、予めキーワード記憶部１８に記憶させておいたキーワードが含まれるか否かが判定される。例えば、ＥＰＧデータのジャンル名に、「サッカー」、「クラシック音楽」、「ドキュメンタリー」等のキーワードのいずれか１つが含まれているか否かが判定される。
【００３３】
その結果、その番組のＥＰＧデータのジャンル名に、キーワード記憶部１８に記憶されているキーワードのいずれも含まれていないと判定された場合、ステップＳＰ５に進む。ステップＳＰ５においては、制御部１２の制御下、映像調整部６は、映像デコード部４から供給されるデコードされた映像データに対してノーマル調整（予め設定されている規定値に基づく調整）を行い、調整後の映像データを映像／ＯＳＤ信号生成部１４に供給する。また、制御部１２の制御下、音声調整部７は、音声デコード部５から供給されるデコードされた音声データに対してノーマル調整を行い、調整後の音声データを音声出力部１７に供給する。
【００３４】
映像／ＯＳＤ信号合成部１４は、映像調整部６から供給される映像データと、ＯＳＤ描画部１３より供給されるＯＳＤ表示データとを合成した合成映像信号を生成し、映像表示部１６に供給する。映像表示部１６は、合成映像信号に対応する合成映像を表示する。音声出力部１７は、音声調整部７から供給された調整された音声データに対応する音声を出力する。
【００３５】
一方、選択された番組のＥＰＧデータのジャンル名の中に、キーワード記憶部１８に記憶されているキーワードのいずれか１つが含まれていると判定された場合、ステップＳＰ４に進む。ステップＳＰ４においては、選択された番組に関するＥＰＧデータに含まれるキーワードに対応する画調整および音調整が行われる。
【００３６】
即ち、制御部１２は、選択された番組に関するＥＰＧデータに含まれるキーワードに対応する映像および音声の調整内容を、図３に示したジャンル別調整内容テーブルからそれぞれ取得し、取得した映像および音声の調整内容に対応する調整指示を映像調整部６および音声調整部７に対してそれぞれ行う。
【００３７】
図３は、テーブル記憶部１９に記憶されているジャンル別調整内容テーブルの例を示している。番組のジャンルが「サッカー」の場合、画調整内容としては、「映像の残像感を少なくする調整」が設定され、音声調整内容としては、「臨場感を出す立体的な音に調整」が設定されている。
【００３８】
番組のジャンルが「クラシック音楽」の場合、画調整内容としては、「標準設定（ノーマル設定）」が、音声調整内容としては、「臨場感を出す立体的な音に調整」が設定されている。番組のジャンルが「ドキュメンタリー」の場合、画調整内容としては、「映像の輪郭とコントラストを強調した調整」が、音声調整内容としては、「標準設定」が設定されている。
【００３９】
制御部１２は、ジャンル別調整内容テーブルに予め設定された番組のジャンルに応じた調整内容に基づいて、映像調整部６および音声調整部７にそれぞれ調整指示を行う。例えば、画調整内容として「映像の残像感を少なくする調整」が設定されている場合、例えば、１秒間に表示する映像のフレーム数を増やすことにより、映像の残像感を低減させるような調整を行うよう指示する。また、音調整内容として「臨場感を出す立体的な音に調整」が設定されている場合、左右の音声出力部１７から出力される音声の音量差、時間差、位相差等を所定の調整値に調整するよう指示する。
【００４０】
次に、ステップＳＰ６において、制御部１２は、選択された番組に関するＥＰＧデータの番組タイトル等に、予めキーワード記憶部１８に記憶させておいたスポンサー名が含まれるか否かを判定し、選択された番組に関するＥＰＧデータの番組タイトル等に予めキーワード記憶部１８に記憶させておいたスポンサー名が含まれないと判定された場合、ステップＳＰ１に戻り、ステップＳＰ１以降の処理が繰り返し実行される。
【００４１】
一方、選択された番組に関するＥＰＧデータの番組タイトル等に予めキーワード記憶部１８に記憶させておいたスポンサー名が含まれると判定された場合、ステップＳＰ７に進む。ステップＳＰ７においては、制御部１２は、選択された番組に関するＥＰＧデータの番組タイトル等に含まれるスポンサー名に対応する画調整内容および音調整内容を、テーブル記憶部１９に記憶されている、図４に示すスポンサー別調整内容テーブルから取得し、取得した調整内容に対応する調整指示を映像調整部６および音声調整部７に対してそれぞれ行う。
【００４２】
ここで、スポンサー別調整内容テーブルに記憶されているスポンサー名は、テレビジョン受像機１００を製造した製造メーカおよびその関連会社の名称とすることができる。
【００４３】
図４は、テーブル記憶部１９に記憶されているスポンサー別調整内容テーブルの例を示している。スポンサー名が「○○株式会社」の場合、画調整内容としては「映像の輪郭とコントラストを強調した調整」が設定され、音調整内容としては「臨場感を出す立体的な音に調整」が設定されている。また、スポンサー名が「△△株式会社」の場合、画調整内容としては「映像の輪郭とコントラストを強調した調整」が設定され、音調整内容としては「臨場感を出す立体的な音に調整」が設定されている。
【００４４】
従って、選択された番組に関するＥＰＧデータの番組タイトル等に「○○株式会社」が含まれている場合、映像調整部６は、制御部１２からの指示に基づいて、映像デコード部４より供給される映像データに対して、輪郭やコントラストを強調する調整を行う。また、音声調整部７は、制御部１２からの指示に基づいて、音声デコード部５から供給された音声データに対して、左右の音声出力部１７から出力される音声の音量差、時間差、位相差等を所定の調整値に調整する。
【００４５】
ステップＳＰ７の処理が終了すると、ステップＳＰ１に戻り、ステップＳＰ１以降の処理が繰り返し実行される。
【００４６】
（２）動作および効果
以上の構成において、映像調整部６および音声調整部７は、デジタルテレビ放送受信部２によって選択された番組に関するＥＰＧデータから取得されたその番組のジャンル名やその番組を提供するスポンサーのスポンサー名に応じて、テーブル記憶手段１９に記憶されている画調整内容や音調整内容に基づいた画調整および音調整を行う。これにより、番組のジャンルや番組を提供するスポンサーに応じた画調整および音調整を行うことができる。
【００４７】
以上の構成によれば、映像調整部６および音声調整部７は、デジタルテレビ放送受信部２によって選択された番組に関するＥＰＧデータから取得されたその番組のジャンルや番組を提供するスポンサーに応じて、テーブル記憶手段１９に記憶されている画調整内容や音調整内容に基づいた画調整および音調整を行う。これにより、番組のジャンルに応じてより適切な調整を行った映像や音声を出力することができるとともに、番組を提供するスポンサーに応じて映像や音声の出力特性を調整することができるので、番組のジャンルに適した出力特性に調整するとともに、上記スポンサーに対する好感度を向上させることができる。
【００４８】
（３）他の実施の形態
なお上述の実施の形態において、ジャンル別調整内容テーブルやスポンサー別調整内容テーブルの画調整内容や音調整内容は例であってその他の調整内容であってもよい。
【００４９】
さらに上述の実施の形態においては、ＥＰＧデータ抽出部８としての取得手段と、映像調整部６および音声調整部７としての調整手段とにより、映像音声出力装置を構成するようにした場合について述べたが、本発明はこれに限らず、その他の種々の手段によって映像音声出力装置を構成するようにしても良い。
【産業上の利用可能性】
【００５０】
本発明の映像音声出力装置および映像音声出力方法、並びに映像音声出力プログラムは、例えばテレビジョン受像機に限らず、ハードディスクレコーダやその他のＡＶ（Audio Visual）機器等にも適用することができる。
【図面の簡単な説明】
【００５１】
【図１】テレビジョン受像機の構成例を示す略線的ブロック図である。
【図２】映像音声調整手順の説明に供するフローチャートである。
【図３】ジャンル別調整内容を保持するジャンル別調整内容テーブルを示す略線図である。
【図４】スポンサー別調整内容を保持するスポンサー別調整内容テーブルを示す略線図である。
【符号の説明】
【００５２】
１……アンテナ、２……デジタルテレビ放送受信部、３……デマルチプレクサ、４……映像デコード部、５……音声デコード部、６……映像調整部、７……音声調整部、８……ＥＰＧデータ抽出部、９……ＥＰＧデータ記憶部、１０……電子番組表構成部、１１……電子番組表画面生成部、１２……制御部、１３……ＯＳＤ描画部、１４……映像／ＯＳＤ信号合成部、１５……リモコン受信部、１６……映像表示部、１７……音声出力部、１８……キーワード記憶部、１９……テーブル記憶部、１００……テレビジョン受像機、２００……リモコン。
【図１】
2009100136.tif 000003
【図２】
2009100136.tif 000004
【図３】
2009100136.tif 000005
【図４】
2009100136.tif 000006